(57)【要約】【課題】グレアの抑制が可能で効率的な照明を行うことのできる照明装置を提供する。【解決手段】ＬＥＤ等の点状光源と、該点状光源が惹起するグレアを抑制するグレア抑制部材とからなる照明装置であって、前記グレア抑制部材は、前記点状光源から被照射面への光を遮ることなく配設されてなる。【選択図】図１
2009087716.tif 000002
【特許請求の範囲】
【請求項１】
ＬＥＤ等の点状光源と、該点状光源が惹起するグレアを抑制するグレア抑制部材とからなる照明装置であって、
前記グレア抑制部材は、前記点状光源から被照射面への光を遮ることなく配設されてなることを特徴とする照明装置。
【請求項２】
ＬＥＤ等の点状光源と、該点状光源の照射範囲を制限することにより該点状光源が惹起するグレアを抑制するグレア抑制部材とからなる照明装置であって、
前記グレア抑制部材は、前記点状光源の照射方向の光を遮ることなく配設されることを特徴とする照明装置。
【請求項３】
前記グレア抑制部材は、前記点状光源が配設される基板の光源配設面と同じ面上に配設されることを特徴とする請求項１又は請求項２に記載の照明装置。
【請求項４】
前記グレア抑制部材は、前記点状光源に個別に設けられることを特徴とする請求項１から請求項３のいずれか一つに記載の照明装置。
【請求項５】
前記点状光源及びグレア抑制部材は、連続的に複数配設されたことを特徴とする請求項１から請求項４のいずれか一つに記載の照明装置。
【請求項６】
前記グレア抑制部材は、筒形状であることを特徴とする請求項１から請求項５のいずれか一つに記載の照明装置。
【請求項７】
前記グレア抑制部材は、空気を通流させることで前記点状光源からの熱を逃がすための空気路を備えていることを特徴とする請求項１から請求項６のいずれか一つに記載の照明装置。
【請求項８】
互いに近接している複数の点状光源の各々に対して、該点状光源から被照射面への光を遮ることなく設けられることにより、該点状光源が惹起するグレアを抑制することを特徴とするグレア抑制部材。
【請求項９】
ＬＥＤ等からなる点状光源を用いて照明する照明方法であって、該点状光源から被照射面への光を遮ることなく設けられたグレア抑制部材を用いて照明することを特徴とする照明方法。
【発明の詳細な説明】
【技術分野】
【０００１】
本発明は、発光ダイオード（以下、ＬＥＤと称する）、エレクトロ・ルミネッセンス（以下、ＥＬと称する）、電球、クリプトン球等からなる点状光源を用いた照明装置に関し、特に、点状光源の配光を制御することで、使用者の感じるグレアを抑制するグレア抑制部材を用いた照明装置に関するものである。
【背景技術】
【０００２】
従来から、照明装置のグレア（眩しさ）抑制対策として、ルーバーを備えた照明装置が提案されている。
そのようなルーバーを備えた照明装置は、図３０に示すように、器具本体９０の内部に収納された長尺（細長）のランプ９１と、該ランプ９１の前面側に配設されて照明の配光を制御する板状体９２を備えたルーバー９３からなるものである（例えば、特許文献１参照）。
【特許文献１】実開平４−６９８１１号公報
【発明の開示】
【発明が解決しようとする課題】
【０００３】
しかしながら、特許文献１に記載されているルーバーを用いた照明装置は、前記ルーバーが光源である細長のランプの照射方向側であって、光源と被照射面との間に存在するため、前記ランプからの光の一部を遮ってしまい、効率的な照明ができないという課題を有していた。
本発明は上記のような課題を解決するためになされたもので、グレアの抑制が可能で効率的な照明を行うことのできる照明装置を提供することを目的とするものである。
【課題を解決するための手段】
【０００４】
本発明の照明装置は、ＬＥＤ等からなる点状光源と、該点状光源が惹起するグレアを抑制するグレア抑制部材とからなり、前記グレア抑制部材によって定められた被照射面を照明する照明装置において、該点状光源が惹起するグレアを抑制するグレア抑制部材を、該点状光源の周囲に該点状光源から被照射面への光を遮ることなく配設してなることを特徴とする。
本発明の照明装置にあっては、点状光源の惹起するグレアを確実に抑制するとともに、効率的な照明を行うことのできる照明装置を実現できる。
本発明のグレア抑制部材は、互いに近接している複数の点状光源の各々に設けられることで該点状光源が惹起するグレアを抑制することを特徴とする。
本発明のグレア抑制部材にあっては、点状光源の周囲に該点状光源から被照射面への光を遮ることがないため、前記点状光源の惹起するグレアを確実に抑制するとともに、効率の良い照明を行うことのできるグレア防止部材を実現できる。
本発明の照明方法は、ＬＥＤ等からなる点状光源を用いて照明する照明方法であって、該点状光源から被照射面への光を遮ることなく設けられたグレア抑制部材を用いて照明することを特徴とする。
本発明の照明方法にあっては、グレアを確実に抑制するとともに、効率的な照明が実現できる。
【発明の効果】
【０００５】
本発明の照明装置によれば、点状光源の惹起するグレアを確実に抑制するとともに、効率的な照明を行うことのできる照明装置、グレア抑制部材及び照明方法を実現できる。
【発明を実施するための最良の形態】
【０００６】
（実施の形態１）
以下、本発明の照明装置の実施の形態１を、図１及び図２を用いて説明する。図１は本発明の照明装置の実施の形態１の構成を示す要部斜視図である。図２は本発明の照明装置の実施の形態１の構成を示す要部分解斜視図である。
本発明の照明装置１は、点状光源であるＬＥＤ２と、該ＬＥＤ２を配設するＬＥＤ基板３と、該ＬＥＤ２が惹起するグレアを抑制するグレア抑制部材であるグレア抑制筒４とから構成されてなるものである。
【０００７】
上記構成において、ＬＥＤ２は、指向性を有する小型の半導体発光素子で点状光源として用いられ、ＬＥＤ基板３の光源配設面であるＬＥＤ配設面３ａ上に２列に多数配設されてなるものである。
また、ＬＥＤ基板３は、ガラスエポキシ樹脂からなる薄い板状のプリント基板であり、一方の面にＬＥＤ配設面３ａを有し、該ＬＥＤ配設面３ａに回路（配線）パターン（図示せず）、ＬＥＤ２及びグレア抑制筒４が配設されるものである。
そして、グレア抑制筒４は、ＬＥＤ配設面３ａ上に配設された各ＬＥＤ２の照射範囲を制限することで配光を制御してグレアの抑制を行うものであって、各ＬＥＤ２の周囲に該ＬＥＤ２から被照射面（図示せず）への光（もしくはＬＥＤ２の照射方向の光）を遮ることなく、ＬＥＤ２と同じＬＥＤ配設面３ａ上に設けられてなるものである。
【０００８】
なお、本発明において被照射面とは、光源とグレア抑制部材と照射する対象物の位置関係に依存して決定され、光源から出射された光がグレア抑制部材に遮られることなく対象物に到達した被照射領域を指す。
さらになお、本発明において照射方向とは、点状光源からの光が指向する方向の中心である光軸（照射軸）方向であり、該点状光源が配設される光源配設面に対して略垂直方向である。
そして、本発明において照射範囲とは、点状光源からの光が光軸（照射軸）となす角度範囲のことであり、点状光源からのどのくらいの範囲に光が出射されるかの目安となるものである。
【０００９】
次に、上記グレア抑制筒４について図３を用いて詳細に説明する。図３（ａ）は本発明の照明装置の実施の形態１のグレア抑制筒４を照射方向側から見た斜視図である。図３（ｂ）は本発明の照明装置の実施の形態１のグレア抑制筒４を配設面側から見た斜視図である。
グレア抑制筒４は略円筒形状を有しており、アルミニウム、銅等の熱伝導性の良好な金属製である。
また、グレア抑制筒４の胴部４０の胴部外面４１には、配設面側開口部４３から照射方向側開口部４４へと伸びる縞状の放熱溝４１ａが多数設けられており、該放熱溝４１ａを設けることによって、ＬＥＤ２及びＬＥＤ２への電気的接続を行う回路パターン（図示せず）からの熱を放熱するための表面積が増加し、効率良く放熱することが可能となる。
【００１０】
さらに、放熱溝４１ａを配設面側開口部４３から照射方向側開口部４４へと伸びる縞状に設けることにより、鉛直上向き又は鉛直下向きにおいた際、後述の放熱機構によって起きる空気の対流に沿って放熱溝４１ａが形成されているため、空気の流れを妨げることなく、効率的に放熱することができる。
そして、グレア抑制筒４の配設面側開口部４３には、切欠部４３ａが２箇所設けられており、ＬＥＤ２の発熱によって暖められた空気が対流を起こした際、空気路を形成するためのものである。
【００１１】
なお、グレア抑制筒４の胴部内面４２は鏡面仕上げとなっており、ＬＥＤ２からグレア抑制筒４の胴部内面４２へと照射された光を反射させることによって、ＬＥＤ２からの光を出射方向へと効率よく導くことができる。
【００１２】
上記グレア抑制筒４を用いたグレア抑制機構について図４及び図５を用いて詳細に述べる。図４はグレアを惹起する照明と人間との位置関係を説明した説明図である。図５は本発明の照明装置の実施の形態１のグレア抑制筒４の配光制御について説明するための説明図である。なお、図５（ａ）では表面実装型ＬＥＤ２ａ、図５（ｂ）では砲弾型ＬＥＤ２ｂを用いている。
まず、グレアについて図４を用いて説明する。なお、本発明においてグレアとは、不快感や物の見えづらさを生じさせるような眩しさのことである。
【００１３】
人間は直接目に入ってくる光の量で明るさを感じているため、ある照明がグレアとなるか否かは、照明の使用者の視線方向と光源とがなす角度に依存している。
特に、図４に示すように、使用者８１の視線方向（水平視方向）８２からの角度θが上下３０°の範囲内に明るい光（目安としては周囲の輝度の約１０倍以上の輝度を有する光）を放つ光源である照明装置８が存在すると、該照明装置８から出射される光は使用者の目に直接入りやすく、グレアの原因となると言われている。
さらに、照明に用いられる点状光源においては、小さな発光部から光が集中して出射されるために、グレアの原因となりやすく、何らかのグレア対策が必要であった。
【００１４】
本発明の照明装置１のグレア抑制筒４は、図５に示す通り、ＬＥＤ２からの光のうち、点状光源から被照射面への光を遮ることなく出射し、それ以外の光を胴部内面４２にて遮ることによって配光を制御するものである。
上記のように配光を制御することにより、図４にて示した照明装置８のような鉛直下向きに照明する照明装置として使用した場合、視線方向（水平視方向）８２から見ても光源から直接目に届く光がないために、使用者８１のグレアを抑制することができる。
【００１５】
なお、ＬＥＤ２の発光部２１（図５における２１ａ、２１ｂ）から遮られることなく出射する光（直接光）のうち、照射方向ｘとなす角が最も大きい光と水平方向ｈ（図５の破線）とがなす直接光限界角ψ（図５におけるψ１、ψ２）は、３０°より大きいことが望ましい。直接光限界角ψが３０°以下となる場合、使用者が水平視している際に光源からの光が直接目に届く可能性が高いためである。
【００１６】
さらに望ましくは、直接光限界角ψ（図５におけるψ１、ψ２）は、４５°より大きいことが望ましい。直接光限界角ψが３０°に近い場合、グレアに敏感な使用者（例えば、老人や視的機能障害を有する使用者など）はグレアを感じる虞があるためであり、図５においては、直接光限界角ψ１、ψ２を４５°としている。
【００１７】
また、図５（ａ）の表面実装型ＬＥＤ２ａのように発光部２１ａがある程度の大きさを持つ場合においては、直接光限界角ψは、発光部２１ａの一端側（図５の点ａ）から他端側（図５の点ｂ）に向かっていく光のうち、グレア抑制筒４の胴部内面４２の他端側開口部直近（図５の点ｃ）を通り出射される光が水平方向ｈとなす角を直接光限界角ψ１とするものである。
【００１８】
上記直接光限界角ψは、グレア抑制筒４の高さや胴部内面４２の大きさ、発光部２１の大きさを適宜変更することによって調整可能であり、例えば、グレア抑制筒４の高さを高くした場合、直接光限界角ψは大きくなり、発光部２１から出た光を直接照射できる領域（被照射面）は狭くなり、逆に、グレア抑制筒４の高さを低くした場合、直接光限界角ψは小さくなり、発光部２１から出た光を直接照射できる領域は広くなる。
【００１９】
図６はグレア抑制筒４の胴部内面４２での光の反射について説明するための説明図である。ＬＥＤ２より鉛直下向き（照射方向ｘ）に出射される光から水平方向に出射される光まで、５°刻みで合計１９本の光線が記されている。
なお、図６において、水平方向ｈに対して３０°以内の角度でグレア抑制筒４から出射されている光線（図６の光線Ｌ１１，Ｌ１２，Ｌ１３，Ｌ１４）があるが、これらの光線は反射光であり、胴部内面４２にて反射されることなくグレア抑制筒４から出射される光に比べるとグレアの原因となる可能性は少ないため、実施の形態１においては考慮していない。
胴部内面４２は鏡面仕上げとなっているため、胴部内面４２に入射した光は正反射されながら照射方向側開口部４４よりグレア抑制筒４外部へと出射される。
【００２０】
次に、グレア抑制筒４における放熱機構について説明する。図７（ａ）は本発明の照明装置の実施の形態１のグレア抑制筒４が上向きの場合の放熱機構について説明するための説明図であり、（ｂ）は該グレア抑制筒４が下向きの場合の放熱機構について説明するための説明図である。
【００２１】
まず、図７（ａ）に示すような照射方向ｘが鉛直上向きの場合、ＬＥＤ２及びＬＥＤ２への電気的接続を行う回路パターン（図示せず）から発せられる熱によりＬＥＤ２付近の空気が暖められる。
ＬＥＤ２付近の暖められた空気は対流により上方へ流れ、ＬＥＤ２付近の空気が上方に流出することにより、グレア抑制筒４内部の空気密度が少なくなるため、切欠部４３ａからグレア抑制筒４外部の冷たい空気が流入する（煙突効果という）。
そして、流入した冷たい空気がＬＥＤ２によって暖められ、上方に移動し、切欠部４３ａよりグレア抑制筒４外部からの冷たい空気が流入する。
【００２２】
上述のように、煙突効果によって空気路Ｃ１１が形成され、該空気路Ｃ１１を通る空気によりＬＥＤ２及び回路パターン（図示せず）からの熱がグレア抑制筒４の外部へと逃がされる。
また、グレア抑制筒４はＬＥＤ２付近の空気及びＬＥＤ基板３を伝導する熱により暖められているため、グレア抑制筒４の胴部外面４１周囲の空気が暖められ、暖められた空気が対流により上方に流れ、下方から冷たい空気が流れてくる。
【００２３】
上述のように、グレア抑制筒４の胴部外面４１周囲で発生する空気の対流により空気路Ｃ１２が形成され、該空気路Ｃ１２を通る空気によりＬＥＤ２及び回路パターン（図示せず）からの熱がグレア抑制筒４を通して外部へと逃がされる。
【００２４】
次に、図７（ｂ）に示すような照射方向ｘが鉛直下向きの場合においても、ＬＥＤ２及びＬＥＤ２への電気的接続を行う回路パターン（図示せず）から発せられる熱によりＬＥＤ２付近の空気が暖められる。
【００２５】
ＬＥＤ２付近の暖められた空気は対流により上方に移動しようとするが、図７（ｂ）の場合、ＬＥＤ２の上方はＬＥＤ基板３が存在するため、グレア抑制筒４の配設面側開口部４３に設けられた切欠部４３ａへ向かい、該切欠部４３ａよりグレア抑制筒４外部へと流れる。
そして、ＬＥＤ２付近の空気が外部に流出することにより、グレア抑制筒４内部の空気密度が少なくなるため、照射方向側開口部４４からグレア抑制筒４外部の冷たい空気が流入する（煙突効果という）。
【００２６】
上述のように、煙突効果によって空気路Ｃ２１が形成され、該空気路Ｃ２１を通る空気により、ＬＥＤ２及び回路パターン（図示せず）からの熱がグレア抑制筒４の外部へと逃がされる。
また、グレア抑制筒４はＬＥＤ２付近の空気及びＬＥＤ基板３を伝導する熱により暖められているため、グレア抑制筒４の胴部外面４１周囲の空気が暖められ、暖められた空気が対流により上方に、また、ＬＥＤ基板３に沿って横方向に流れ、下方から冷たい空気が流れてくる。
【００２７】
上述のように、グレア抑制筒４の胴部外面４１周囲で発生する空気の対流により空気路Ｃ２２が形成され、該空気路Ｃ２２を通る空気によりＬＥＤ２及び回路パターン（図示せず）からの熱がグレア抑制筒４を通して外部へと逃がされる。
【００２８】
また、グレア放熱筒４をアルミ、銅などの熱伝導性の良好な金属によって構成することによって、さらに放熱性を向上することができる。
さらに、胴部外面４１に放熱溝４１ａを設けることで空気と接する表面積を多く確保することにより、放熱性を向上させている。
【００２９】
さらにまた、グレア抑制筒４は筒内の空気やＬＥＤ基板３を通して伝導する熱によって暖められており、暖められたグレア抑制筒４が胴部外面４１周囲の空気を暖め、暖められた空気が対流により上方に流れ、下方から冷たい空気が流れ込む。
そして、煙突効果により、グレア放熱筒４の筒の高さを高くすることで、流入／流出する空気の量が増加し、放熱のさらなる高効率化も図ることができる。
【００３０】
なお、横向きに設置した場合、ＬＥＤ２及び回路パターン（図示せず）からの熱がグレア抑制筒４の胴部４０へと伝導することによって、温められた胴部外面４１から胴部外面４１周辺の空気への放熱がなされる。
【００３１】
次に、ＬＥＤ２及びグレア抑制筒４の配設方法について図８から図１１を用いて説明する。図８から図１１はＬＥＤ２及びグレア抑制筒４の配設方法を説明するための説明図である。
まず、図８に示すように、ＬＥＤ基板３のＬＥＤ配設面３ａに銅箔からなる回路パターン３１をパターニングする。なお、図８の回路パターンは模式的であり、実際には細かな配線（図示せず）が施されている。
【００３２】
次に、図９に示すように、ＬＥＤ配設面３ａ上の半田付けを行う半田付け面３ｂ以外の領域に対して、熱硬化性のエポキシ樹脂を用いてレジスト加工を施してレジスト層３２を形成する。
さらに、図１０に示すように、ＬＥＤ２を半田付け面３ｂにある回路パターン３１と半田付けすることでＬＥＤ配設面３ａ上に配設する。
最後に、図１１に示すように、各ＬＥＤ２の周囲を囲むようにグレア抑制筒４を配設する。
【００３３】
グレア抑制筒４の配設方法についてさらに詳細に説明する。
図１２に示すように、ＬＥＤ基板３のＬＥＤ配設面３ａ側に回路パターン３１が形成され、ＬＥＤ配設面３ａの半田付け面３ｂ以外の領域にレジスト層３２が形成され、半田付け面３ｂにてＬＥＤ２が半田付けされて配設され、レジスト層３２のＬＥＤ２周辺領域にはエポキシ接着剤３３ａが塗布され、その上からグレア抑制筒４が接着されて配設されることで、エポキシ接着層３３が形成される。
【００３４】
上述のように、回路パターン３１とグレア抑制筒４の間に、レジスト層３２とエポキシ接着層３３が絶縁層３０として存在するため、ＬＥＤ配設面３ａ上の回路パターン３１とグレア抑制筒との間において、電流がリークする虞の少ない構造となる。
また、絶縁層３０は５０μｍ以下の厚みで形成することが可能であり、非常に薄いため熱抵抗が小さく、ＬＥＤ２の熱を回路パターン３１へと効率的に伝導し、回路パターン３１自身の熱をグレア抑制筒４へと効率的に伝導することができる。
なお、図１２において、エポキシ接着層３３にはプラスチックビーズ３３ｂが混入されており、これによりグレア抑制筒４の接着、及び、グレア抑制筒４と回路パターン３１との間の絶縁のための均一な厚みを確保することができる。なお、プラスチックビーズ３３ｂの代わりに、ガラスファイバーやその他の素材を用いても良い。
【００３５】
従来の照明装置の放熱機構は、光源基板の光源を配設する面の裏側に放熱機構を設けたり、また、基板自体にアルミニウムのように高価な金属を使用するなどしていたが、上述のような方法によってＬＥＤ２及びグレア抑制筒４を配設することにより、効率の良い放熱のできるグレア抑制可能な照明装置が実現できる。
【００３６】
上述の通り、点状光源であるＬＥＤ２が惹起するグレアを抑制するグレア抑制筒４を、ＬＥＤ２の周囲に該点状光源から被照射面への光を遮ることなく配設しているため、効率の良い照明が可能となる。
また、１個の点状光源に１個のグレア抑制筒４を配設する構成とすることにより、点状光源の周囲に配置されるグレア抑制部材であるグレア抑制筒４が小型化できるため、照明装置１の薄型化を図ることができ、照明装置の簡便な設置が可能となる。
【００３７】
なお、本発明における１個の点状光源とは、チップの個数や、発光部の数によって定義されるものではなく、例えば、モジュールの中央部に多数の発光部を持つＬＥＤの場合、該ＬＥＤは１個の点状光源であると考え、さらに例えば、白色照明のために赤色ＬＥＤと緑色ＬＥＤと青色ＬＥＤを同時に駆動させる場合などにおいても、赤色ＬＥＤと緑色ＬＥＤと青色ＬＥＤで１個の点状光源として考えるものとする。
【００３８】
さらにまた、点状光源であるＬＥＤ２は指向性を有しているため、全指向型の蛍光管とは異なり、照射方向ｘと逆の方向に照射される光を反射させて照射方向へと配光するための特別な構造を設ける必要がなく、照明装置１の薄型化を図ることができるので、照明装置１の簡便な設置が可能となる。
なお、本発明の照明装置の実施の形態１において、照明装置１のグレア抑制筒４は円筒形状のものを例に挙げて説明したが、これに限られるものではなく、例えば、開口部が多角形の筒形状のものでも良く、この場合においてもグレアの抑制が可能で、しかも効率の良い照明ができる照明装置が実現される。
【００３９】
また、本発明の照明装置の実施の形態１において、照明装置１の点状光源としてＬＥＤ２を用いた場合を例として説明したが、それに限られるものではなく、小型の白熱電球や放電灯、また、小面積のＥＬ等の面光源、その他小型の光源であれば、本発明の照明装置が実現できる。
【００４０】
なお、上記小型の白熱電球や放電灯、小面積のＥＬ等の面光源、その他小型の光源において、小型もしくは小面積であるか否かの判断は、照射方向から見て１０ｍｍ×１０ｍｍ以下の大きさを有することを目安とし、より望ましくは５ｍｍ×５ｍｍ程度の大きさを有することとする。
【００４１】
そして、本発明の照明装置の実施の形態１において、照明装置１のグレア抑制筒４の配設面側開口部４３に、ＬＥＤ２の発熱によって暖められた空気が対流を起こした際、空気路を形成するための切欠部４３ａが２箇所設けられている場合を例に説明したが、それに限られるものではなく、切欠部４３ａは設けられなくても良い。
その場合、煙突効果による放熱は期待できないが、ＬＥＤ２及び回路パターン３１からの熱がグレア抑制筒４の胴部４０へと伝導することによって放熱がなされる。
【００４２】
さらにまた、本発明の照明装置の実施の形態１において、ＬＥＤ２はＬＥＤ配設面３ａに２列に多数配設されている場合を例に挙げて説明したが、それに限られるものではなく、１列に配設しても良いし、３列以上で配設しても良く、また、多数ではなく４個程度の少数のＬＥＤを配設した構成でも良いし、１個のＬＥＤを用いた構成としても良い。
【００４３】
いずれの場合も、効率良く照明できるグレア抑制部材を備えた照明装置が実現できる。
そして、本発明の照明装置の実施の形態１において、ＬＥＤ基板３はガラスエポキシ樹脂からなる薄い板状のプリント基板であるとして説明したが、それに限られるものではなく、アルミニウム板上に絶縁層を介して、銅箔回路を形成したプリント配線板であるアルミニウムベース基板を用いても良い。
【００４４】
上記アルミニウムベース基板は熱伝導性に優れているため、ＬＥＤ基板全体に熱が拡がり、グレア放熱筒や外気へと効率良く伝導していくため、放熱性能の向上が図れる。
さらに、本発明の照明装置の実施の形態１において、１個のＬＥＤ２に対して１個のグレア抑制筒４を配設した場合を例に挙げて説明したが、それに限られるものではなく、複数個の点状光源に対して１個のグレア抑制筒４を配設しても良い。
【００４５】
なお、本発明の照明装置の実施の形態１において、グレア抑制筒４の配設面側開口部４３に、ＬＥＤ２の発熱によって暖められた空気が対流を起こした際に空気路を形成するための切欠部４３ａを設けた場合を例に説明したが、これに限られるものではなく、切欠部４３ａの代わりに胴部４０の配設面側開口部４３付近に空気孔が穿設されたものでも、放熱のための空気路の形成は可能である。
【００４６】
また、本発明の照明装置の実施の形態１において、照明装置１のグレア抑制筒４は胴部外面４１に放熱溝４１ａを備えたとして説明したが、これに限られるものではなく、例えば、図１３のように放熱溝４１ａを設けない構造としても良い。グレア抑制筒４の製造工程が簡略化され、安価に製造することができる。
【００４７】
（実施の形態２）
次に、本発明の照明装置の実施の形態２について、図１４から図１７を用いて説明する。なお、上記実施の形態１と同一部分には同一符号を付し、その説明は省略する。
【００４８】
本発明の照明装置１Ａにおいては、グレア抑制部材として、胴部内面４２に傾斜を有したグレア抑制筒４ａを用いている。
グレア抑制筒４ａは実施の形態１におけるグレア抑制筒４と同じく、アルミニウム、銅等の熱伝導性の良好な金属製によって構成されており、胴部外面４１ａの形状も放熱溝（図示せず）を有する略円筒形状を有している。
【００４９】
また、グレア抑制筒４ａの胴部内面４２ａは、図１４に示すように、配設面側開口部４３から被照射面側開口部４４にかけて一定に拡径するような傾斜ｓ１を有した円錐台形状であり、照射方向ｘに対して５°の傾斜角φ１を有している。
【００５０】
さらにまた、グレア抑制筒４ａの胴部内面４２ａは鏡面仕上げとなっており、ＬＥＤ２から出射される光のうち、胴部内面４２ａへと入射する光は、胴部内面４２ａにて正反射され、反射の度に水平方向ｈと成す角が大きくなり、鉛直下向きに変化していくため、被照射面へ向かう光の量が多くなる。
グレア抑制筒４ａ外部へ出射される反射光と水平方向ｈとが成す角が大きいと、特に３０°以上である場合は、胴部内面４２ａにて反射された後にグレア抑制筒４ａより出射される光（以下、反射光と称する）が使用者の目に直接入る可能性が少なくなるため、胴部内面にて反射されることなく出射される光のグレア抑制に加えて、反射光によって惹起されるグレアも抑制できる。
【００５１】
上述の通り、グレア抑制筒４ａの胴部内面４２ａが傾斜ｓ１を有することによって、グレア抑制筒４ａから外部へ出射される反射光の配光を、制御することによって、反射光によるグレアをも抑制し、また、効率的な照明ができる照明装置を実現できる。
【００５２】
また、胴部内面に設けられる傾斜の傾斜角は、図１４のように照射方向ｘに対して５°である場合に限られない。傾斜角を変更した例を図１５から図１７に挙げる。図１５においては傾斜角φ２が１０°、図１６においては傾斜角φ３が１５°、図１７においては傾斜角φ４が２０°としている。
傾斜角が大きくなるに従って、胴部内面にて反射された光の進行する方向がより照射方向寄りに変化し、被照射面へ向かう光の量が多くなることで効率的な照明が可能となる。
また、胴部内面にて反射された光の進行する方向がより照射方向寄りに変化することで、胴部内面での反射回数も少なくなり、反射による光量の低下も少なくなることで、さらに効率的な照明が可能となるため、傾斜角は大きい方が望ましい。
【００５３】
しかし、グレア抑制筒の胴部４０の高さが同じ場合、傾斜角が大きくなるに従って、胴部４０に必要な厚みが増してくるため、複数のＬＥＤを配設する場合、配設間隔を大きく確保しなければならないため、照明装置全体の大型化に繋がる。
また、傾斜角が６０°以上となると、使用者からは視線方向（水平視方向）から３０°以内に照明装置がある場合、光源からの直接光が目に入り易くなるため、グレアの原因となる可能性が高い。
よって、傾斜角は６０°より小さい範囲である必要があり、望ましくは４５°以下であると良い。４５°以下とするのは、本発明の照明装置の実施の形態１でも述べたように、グレアに敏感な使用者に対して、よりグレアを感じない可能性の高い照明装置を提供するためである。
【００５４】
上述の通り、胴部内面に、配設面側開口部から被照射面側開口部にかけて一定に拡径するような傾斜を設けることによって、効率的な照明を行うグレア抑制可能な照明装置が実現できる。
【００５５】
ここで、放熱機構について図１８を用いて説明する。図１８は本発明の照明装置の実施の形態２の放熱機構を説明するための模式図である。なお、図１８（ａ）は照射方向が鉛直上向きの場合、図１８（ｂ）は照射方向が鉛直下向きの場合である。
本発明の照明装置の実施の形態１と同じく、配設面側開口部に切欠部４３ａが設けられている。
【００５６】
図１８（ａ）の場合、ＬＥＤ２及び回路パターン（図示せず）により暖められたＬＥＤ２付近の空気が対流を起こして照射方向側開口部４４からグレア抑制筒４Ａ外部へと流出し、煙突効果によって切欠き部４３ａから外部の冷たい空気が流入することにより空気路Ｃ３１が形成される。
また、グレア抑制筒４Ａ自体も回路パターンを伝導してくる熱によって暖められ、胴部外面４１Ａにて外部の空気へと放熱し、暖められた空気は上方へ流れ、下方から冷たい空気が流れることにより空気路Ｃ３２が形成される。
【００５７】
次に、図１８（ｂ）の場合においても、ＬＥＤ２及び回路パターン（図示せず）により暖められたＬＥＤ２付近の空気が対流を起こして切欠部４３ａよりグレア抑制筒４Ａ外部へ流出し、煙突効果により照射方向側開口部４４から外部の冷たい空気が流入することにより空気路Ｃ４１が形成される。
【００５８】
また、図１８（ａ）の場合と同じく、グレア抑制筒４Ａ自体も回路パターンを伝導してくる熱によって暖められているので、胴部外面４１Ａにて外部の空気に放熱し、暖められた空気が対流により上方に、また、ＬＥＤ基板３に沿って横方向に流れ、下方から冷たい空気が流れてくることによって空気路Ｃ４２が形成され、胴部外面にても放熱が行われる。
【００５９】
上述の通り、本発明の照明装置の実施の形態２においても、実施の形態１と同じく、煙突効果によって放熱がなされる。
なお、本発明の照明装置の実施の形態２において、照明装置１Ａのグレア抑制筒４Ａの胴部内面は円錐台形状のものを例に挙げて説明したが、これに限られるものではなく、例えば、多角錐台形状でも良く、この場合においてもグレアの抑制が可能で、しかも効率の良い照明ができる照明装置が実現される。
【００６０】
さらに、本発明の照明装置の実施の形態２において、照明装置１Ａのグレア抑制筒４Ａの胴部外面は放熱溝を有する略円筒形状のものを例に挙げて説明したが、これに限られるものではなく、例えば、多角柱形状でも良く、また、放熱溝の有無、放熱溝を有する場合の放熱溝の深さや放熱溝同士の間隔、溝の方向など、適宜自由に選択でき、いずれの場合においても、本発明の実施が可能である。
【００６１】
（実施の形態３）
次に、本発明の照明装置の実施の形態３について、図１９を用いて説明する。なお、上記実施の形態１と同一部分には同一符号を付し、その説明は省略する。
【００６２】
本発明の照明装置１Ｂにおいては、グレア抑制部材として、胴部内面４２に傾斜を有したグレア抑制筒４Ｂを用いている。
グレア抑制筒４Ｂは実施の形態１におけるグレア抑制筒４と同じく、アルミニウム、銅等の熱伝導性の良好な金属製によって構成されており、胴部外面４１Ｂの形状も放熱溝（図示せず）を有する略円筒形状を有している。
【００６３】
また、グレア抑制筒４Ｂの胴部内面４２Ｂは、図１９に示すように、配設面側開口部４３から被照射面側開口部４４にかけて拡径する椀形状を有している。
なお、前記椀形状は、配設面側開口部４３近くでは照射方向ｘに対して急な傾斜を有しているが、被照射面側開口部４４に近づくにつれ、傾斜が照射方向ｘに近づくよう変化している。
【００６４】
さらにまた、グレア抑制筒４Ｂの胴部内面４２Ｂは鏡面仕上げとなっており、ＬＥＤ２から出射される光のうち、胴部内面４２Ｂへと入射する光は、胴部内面４２Ｂにて正反射される。
【００６５】
上記の構成のグレア抑制筒４Ｂを備えた照明装置において、ＬＥＤ２から出射される光のうち、胴部内面４２Ｂへと入射する光は、正反射によって照射方向ｘ寄りに変化されるため、被照射面へ向かう反射光の量が多くなる。
なお、椀形状の詳細な形状については、図１９と全く同じ形状に限られることはなく、例えば釣鐘形状であっても良いし、２種類の椀形状を組み合わせたものであっても良い。
【００６６】
上述の通り、照明装置１Ｂは、グレア抑制筒４Ｂの胴部内面４２Ｂが配設面側開口部４３から被照射面側開口部４４にかけて拡径する椀形状を有することで、効率的な照明の可能となる。
また、照明装置１Ｂは、グレア抑制筒４Ｂ外部へ出射される反射光と水平方向ｈとが成す角が３０°以下にならないよう胴部内面４２Ｂの曲面形状を形成することにより、反射光によるグレアの虞を少なくすることができる。
【００６７】
（実施の形態４）
次に、本発明の照明装置の実施の形態４について、図２０から図２３を用いて説明する。なお、上記実施の形態１から実施の形態３と同一部分には同一符号を付し、その説明は省略する。
【００６８】
本発明の照明装置１Ｃにおいては、ＬＥＤ基板３のＬＥＤ配設面３ａに銅箔からなる回路パターン３１Ｃをパターニングする。
図２０に示す通り、回路パターン３１Ｃは本発明の実施の形態１の回路パターン３１と比べて、ＬＥＤとの接続関係はそのままに、ＬＥＤ配設面３ａ全体にパターニングされていることが分かる。
【００６９】
ＬＥＤ２及びグレア抑制筒４の配設方法は以下の通りである。
まず、図２０に示すように、ＬＥＤ基板３のＬＥＤ配設面３ａに銅箔からなる回路パターン３１Ｃ（図２０の斜線領域）をパターニングする。なお、図２０の回路パターンは模式的であり、実際には細かな配線（図示せず）が施されている。
【００７０】
次に、図２１に示すように、ＬＥＤ配設面３ａ上の半田付けを行う半田付け面３ｂ以外の領域に対して、熱硬化性のエポキシ樹脂を用いてレジスト加工を施してレジスト層３２（図２１の斜線領域）を形成する。
さらに、図２２に示すように、ＬＥＤ２を半田付け面３ｂにある回路パターン３１と半田付けすることでＬＥＤ配設面３ａ上に配設する。
最後に、図２３に示すように、各ＬＥＤ２の周囲を囲むようにグレア抑制筒４を配設する。
【００７１】
上述の通り、照明装置１Ｃは、回路パターン３１ＣをＬＥＤ配設面３ａ全体にパターニングすることによって、ＬＥＤ２からの熱が銅箔からなる回路パターン３１Ｃを通してＬＥＤ基板３全体に伝わり、ＬＥＤ基板３全体から外部へ放熱することができる。
また、照明装置１Ｃは、グレア抑制筒４と回路パターン３１Ｃがレジスト層３２を挟んで重なっており、該重なった部分の面積が実施の形態１に比べて大きいため、グレア抑制筒４への熱伝導が効率的に行うことができる。
【００７２】
本発明の照明装置の実施の形態４において、回路パターン３１ＣをＬＥＤ配設面３ａ全体にパターンニングした場合を例に挙げて説明したが、これに限られるものではなく、回路パターン３１Ｃとは異なるパターニングを施しても構わないし、回路パターン自体は本発明の実施の形態１で示した回路パターン３１であっても、回路パターンが施されていない領域に銅箔を別途（接続関係は壊さないように）パターンニングしても良い。
いずれの場合においても、効率的な熱伝導が可能となる。
【００７３】
（実施の形態５）
次に、本発明の照明装置の実施の形態５について、図２４を用いて説明する。なお、上記実施の形態１から実施の形態４と同一部分には同一符号を付し、その説明は省略する。
【００７４】
本発明の実施の形態５に係る照明装置１Ｄのグレア抑制筒４Ｄはアルミニウム製であり、陽極酸化加工によって表面にアルマイト皮膜層４５を形成されてなるもので、優れた耐侵食性、耐摩耗性、絶縁性を有するものである。
なお、アルマイト皮膜はアルミニウムの酸化皮膜のことであり、一般的には希硫酸やシュウ酸などを用いてアルミニウムを陽極として電気分解することによりアルミニウムの表面に生成されるものである。
【００７５】
図２４に示すように、ＬＥＤ基板３のＬＥＤ配設面３ａ側に回路パターン３１が形成され、ＬＥＤ配設面３ａの半田付け面以外の領域にレジスト層３２が形成され、半田付け面にてＬＥＤ２が半田付けされて配設され、レジスト層３２のＬＥＤ２周辺領域にはエポキシ接着剤３３ａが塗布され、その上から表面にアルマイト皮膜を有するグレア抑制筒４Ｄが接着されて配設されることで、エポキシ接着層３３が形成される。
【００７６】
上記の場合において、回路パターン３１とグレア抑制筒本体４６の間には、レジスト層３２、エポキシ接着層３３、アルマイト皮膜層４５の３層が絶縁層３０Ｄとして存在し、ＬＥＤ配設面３ａ上の回路パターン３１と絶縁層３０Ｄの間において電流のリークが極めて起こりにくい構造とすることができる。
また、アルマイト皮膜は表面に微細孔を有しており、容易に染色や着色を施すことができるため、デザイン上の設計自由度が増すという効果がある。
【００７７】
なお本発明の照明装置の実施の形態５において、実施の形態１と同じ回路パターン３１を施したものを例に説明したが、これに限定されるものではなく、実施の形態４にて用いた回路パターン３１Ｃを施したものであっても良い。
【００７８】
（実施の形態６）
次に、本発明の照明装置の他の実施の形態について、図２５及び図２６を用いて説明する。なお、上記実施の形態１から実施の形態５と同一部分には同一符号を付し、その説明は省略する。図２５は本発明の照明装置の実施の形態６の外観を示す概略斜視図であり、図２６は本発明の照明装置の実施の形態６の構成を示す部分分解斜視図である。
【００７９】
本発明の実施の形態６に係る照明装置１Ｅのグレア抑制ユニット４Ｅは、図２５に示す通り、複数のグレア抑制部材４Ｅａ，４Ｅａ，…が一体成型されたもので、ＬＥＤ基板３のＬＥＤ配設面３ａ上に配設された各ＬＥＤ２の周囲に、各ＬＥＤ２上の空間を避け、各ＬＥＤ２から被照射面（図示せず）への光を妨げないように配設されてなるものである。
【００８０】
各グレア抑制部材４Ｅａの詳細な構成について図２６を用いて説明する。
本発明の実施の形態６に係る照明装置１Ｅのグレア抑制部材４Ｅａは、筒体４０Ｅと、放熱フィン４Ｅｂと、筒体４０Ｅと放熱フィン４Ｅｂが配設される配設板４Ｅｃとが一体成型されてなるものである。
【００８１】
上記の構成において、グレア抑制部材４Ｅａの配設板４Ｅｃは、ＬＥＤ基板３と略同形の板状部材であり、ＬＥＤ配設面３ａ上に配設されたＬＥＤ２に接触しないよう、ＬＥＤ２の配設位置周辺に光源孔（図示せず）が設けられてなるものである。
そして、グレア抑制部材４Ｅａの筒体４０Ｅは本発明の照明装置の実施の形態１のグレア抑制筒４とほぼ同じ形状（円筒形状）を有し、配設面側開口部及び照射方向側開口部の大きさは光源孔と同じ大きさを有するものであって、さらに、各ＬＥＤ２上の空間を避け、各ＬＥＤ２から被照射面（図示せず）への光を妨げぬよう設計されてなるものである。
【００８２】
さらに、グレア抑制部材４Ｅａの放熱フィン４Ｅｂは筒体４０Ｅと同じ高さを有する小型の板状部材であり、配設板４Ｅｃに垂直かつ筒体４０Ｅ周りに放射状に８個配設されてなるものである。
また、筒体４０Ｅと放熱フィン４Ｅｂと配設板４Ｅｃはいずれも熱伝導性の高いアルミニウムからなり、ＬＥＤ２及び該ＬＥＤ２への電気的接続を行う回路パターン３１からの熱を伝導し、外部へ放出するものである。
さらにまた、グレア抑制部材４Ｅａが一体成型されてなるグレア抑制ユニット４Ｅにおいて、近接するグレア抑制部材４Ｅａは、放熱フィン４Ｅｂによって接続されている。
【００８３】
上記のような構成にすることにより、複数のグレア抑制部材４Ｅａからなるグレア抑制ユニットは、ＬＥＤ基板３のＬＥＤ配設面３ａ上に配設された各ＬＥＤ２の周囲に、各ＬＥＤ２上の空間を避け、各ＬＥＤ２から被照射面（図示せず）への光を妨げないように配設されてなるため、効率の良い照明が可能なグレア抑制部材を備えた照明装置を実現できる。
【００８４】
また、グレア抑制ユニット４Ｅが複数のグレア抑制部材４Ｅａ，４Ｅａ，…が一体成型で構成されることにより、ＬＥＤ配設面３ａ上に一回の配設で全てのＬＥＤ２に対してグレア抑制部材４Ｅａを配設することができ、各ＬＥＤ２に対して個別にグレア抑制部材４Ｅａを設ける場合に比べて配設プロセスが簡略化でき、低コスト化を図ることができる。
また、グレア抑制部材４Ｅａは、筒体４０Ｅと放熱フィン４Ｅｂと配設板４Ｅｃとが一体成型されており、配設板４ＥｃがＬＥＤ２及び回路パターン３１からの熱を筒体４０Ｅや放熱フィン４Ｅｂへと効率的に伝導するため、良好な放熱効果が得られる。
【００８５】
さらに、グレア抑制部材４ＥａがＬＥＤ基板３と略同形の板状部材である配設板４Ｅｃを備えていることによって、基板３全体に接する配設板４Ｅｃ自体から外部へ放熱できるため、さらに効率的な放熱が可能となる。
そして、放熱フィン４Ｅｂを多数設けることによって放熱面積が向上し、外気と接触する面積が増えるため、効率的な放熱が行われる。
【００８６】
さらには、近接するグレア抑制部材４Ｅａは、放熱フィン４Ｅｂによって接続されているため、グレア抑制部材４Ｅａ間での温度差が緩和され、無駄のない放熱が図れる。
なお、実施の形態６においてグレア抑制部材４Ｅａは空気流通路を設けていないが、筒体４０Ｅの光源に近い部分に空気流通孔を設けても良い。筒体４０Ｅの外部には放熱フィンが存在するため、空気流通孔を設けた箇所に別のグレア防止部材４Ｅａが近接する場合など、実施の形態１で説明したのと同様の対流が起こらない場合もあるが、少量でも外部の空気が流入する構造にすることによって、さらに効率的な放熱が可能となる。
【００８７】
特に、隣に別のグレア抑制部材４Ｅａが存在しない場合には、実施の形態１で説明したのと同様の対流が起こるため、空気流通孔を設けることは効率的な放熱に有効でなる。
また、図２５のグレア抑制ユニット４Ｅは、複数のグレア抑制部材４Ｅａ，４Ｅａ，…が一体成型されたものであると説明したが、それに限られるものではなく、グレア抑制部材４Ｅａを一体成型することなく複数配置しても良いし、グレア抑制部材４Ｅａ単体で用いても良い。いずれの場合も、効率の良い照明が可能なグレア抑制部材を備えた照明装置を実現できる。
【００８８】
（実施の形態７）
次に、本発明の照明装置の他の実施の形態について、図２７から図２９を用いて説明する。なお、上記実施の形態１から実施の形態６と同一部分には同一符号を付し、その説明は省略する。
【００８９】
図２７は本発明の照明装置の実施の形態７の外観を示す要部斜視図であり、図２８は本発明の照明装置の実施の形態７の構成を示す部分分解斜視図である。
本発明の実施の形態７に係る照明装置１Ｆのグレア抑制ユニット４Ｆは、図２７に示す通り、複数のグレア抑制部材４Ｆａ，４Ｆａ，…が一体成型されたもので、ＬＥＤ基板３のＬＥＤ配設面３ａ上に配設された各ＬＥＤ２の周囲に、各ＬＥＤ２上の空間を避け、各ＬＥＤ２から被照射面（図示せず）への光を妨げないように配設されてなるものである。
【００９０】
各グレア抑制部材４Ｅａの詳細な構成について図２８を用いて説明する。
本発明の実施の形態７に係る照明装置１Ｆのグレア抑制部材４Ｆａは、放熱フィン４Ｆｂと、該放熱フィン４Ｆｂが配設される配設板４Ｆｃとからなるものである。
上記の構成において、グレア抑制部材４Ｆａの配設板４Ｆｃは、ＬＥＤ基板３と略同形の板状部材であり、ＬＥＤ配設面３ａ上に配設されたＬＥＤ２に接触しないよう、ＬＥＤ２の配設位置周辺に光源孔（図示せず）が設けられてなるものである。
また、グレア抑制部材４Ｆａの放熱フィン４Ｆｂは、配設板４Ｆｃに対して垂直に配設された板状部材であり、各ＬＥＤ２上の空間を避け、各ＬＥＤ２から被照射面（図示せず）への光を妨げぬよう、各ＬＥＤ２の周囲（光源孔の周囲）に多数配設されてなるものである。
なお、放熱フィン４Ｆｂ同士が並行に配設され、その配設パターンは、ＬＥＤ基板３の一方の辺に平行な方向に配設されるものと、ＬＥＤ基板３の他方の辺に平行な方向に配設されるものの組合せにより構成されるものである。
【００９１】
また、近接する放熱フィン４Ｆｂの間隔は一定となるよう適宜調整されており、例えば、３１．５ｍｍ×３１．５ｍｍの正方形の配設板４Ｆｃに対し、厚さ１．５ｍｍの放熱フィンを長辺方向に平行に６枚、配設間隔４．５ｍｍで均等に並べることができ、放熱フィンの配設密度が一定になることで、ムラの少ない放熱が可能となる。
そして、放熱フィン４Ｆｂと配設板４Ｆｃはいずれも熱伝導性の高いアルミニウムからなり、ＬＥＤ２及び該ＬＥＤ２への電気的接続を行う回路パターン３１からの熱を伝導し、外部へ放出するものである。
【００９２】
さらに、グレア抑制部材４Ｆａが一体成型されてなるグレア抑制ユニット４Ｆにおいて、近接するグレア抑制部材４Ｆａの配設板４Ｆｃ及び放熱フィン４Ｆｂは接続されているため、グレア抑制部材４Ｆａ間での温度差が緩和され、無駄のない放熱が図れる。
【００９３】
図２９を用いてグレア抑制部材４Ｆａの配設方法を説明する。図２９は本発明の照明装置の実施の形態７のグレア抑制部材４Ｆａの配設方法を説明するための説明図である。
本発明の照明装置の実施の形態１と同じく、ＬＥＤ基板３のＬＥＤ配設面側に回路パターン３１が形成され、ＬＥＤ配設面の半田付け面以外の領域にレジスト層３２が形成され、半田付け面にてＬＥＤ２が半田付けされて配設され、レジスト層３２全体にエポキシ接着剤３３ａが塗布され、その上からグレア抑制ユニット４Ｆが接着されて配設されることで、エポキシ接着層３３が形成される。
【００９４】
また、本発明の実施の形態７に係る照明装置１Ｆのグレア抑制部材４Ｆはアルミニウム製であり、陽極酸化加工によって表面にアルマイト皮膜層４５Ｆを形成されてなるもので、優れた耐侵食性、耐摩耗性、絶縁性を有するものである。
即ち、図２４に示す通り、回路パターン３１とグレア抑制部材本体４６Ｆの間には、レジスト層３２、エポキシ接着層３３、アルマイト皮膜層４５の３層が絶縁層３０Ｆとして存在し、ＬＥＤ配設面３ａ上の回路パターン３１と絶縁層３０Ｆの間において電流のリークが極めて起こりにくい構造とすることができる。
【００９５】
上記のような構成にすることにより、複数のグレア抑制部材４Ｆａからなるグレア抑制ユニットは、ＬＥＤ基板３のＬＥＤ配設面３ａ上に配設された各ＬＥＤ２の周囲に、各ＬＥＤ２上の空間を避け、各ＬＥＤ２から被照射面（図示せず）への光を妨げないように配設されてなるため、効率の良い照明が可能なグレア抑制部材を備えた照明装置を実現できる。
【００９６】
また、ＬＥＤ２からの光は、平行に配設された放熱フィン４Ｆｂの間を反射されることなく通り抜ける一部の光を除き、多くの光が放熱フィン４Ｆｂによって反射・拡散されており、例えば天井に取り付けた際、使用者の水平視方向から３０°以内に上記照明装置が存在していたとしても、光源から直接目に入る光が少ないため、グレアの抑制ができる。
なお、フィンの大きさ、配設間隔などによってグレアの抑制の程度は適宜調整可能であり、例えば、配設間隔を狭めることによって光源からの光が放熱フィンの間を反射されることなく通過する割合を少なくすることができ、より確実なグレアの抑制が可能となる。
【００９７】
また、放熱フィン４Ｆｂを設けることによって放熱面積が向上し、外気と接触する面積が増えるため、効率的な放熱が行われる。
さらに、グレア抑制部材４Ｆａが配設板４Ｆｃを備えることによって、基板３全体に接する配設板４ＦｃがＬＥＤ２及び回路パターン３１からの熱を放熱フィン４Ｆｂへと効率的に伝導することで外部へ放出し、また、配設板４Ｆｃ自体からも外部へ放熱できるため、非常に効率的に放熱が行われる。
【００９８】
また、実施の形態７において、放熱フィン４Ｆｂは配設板４Ｆｃに対して垂直で、さらに放熱フィン４Ｆｂ同士が並行に配設された板状部材として説明したが、それに限られるものではなく、例えば、湾曲した板状部材を用いて放熱フィン４Ｆｂを構成しても良い。
その場合、放熱フィン４Ｆｂに平行な視線になった際でも、光源からの光が使用者に直接入る可能性が少なくなるなどの効果がある。
【００９９】
さらにまた、図２７のグレア抑制ユニット４Ｆは、複数のグレア抑制部材４Ｆａ，４Ｆａ，…が一体成型されたものであると説明したが、それに限られるものではなく、グレア抑制部材４Ｆａを一体成型することなく複数配置しても良いし、グレア抑制部材４Ｆａ単体で用いても良い。
いずれの場合も、効率の良い照明が可能なグレア抑制部材を備えた照明装置を実現できる。 
【図面の簡単な説明】
【０１００】
【図１】本発明の照明装置の実施の形態１の構成を示す要部斜視図である。
【図２】本発明の照明装置の実施の形態１の構成を示す要部分解斜視図である。
【図３】（ａ）は本発明の照明装置の実施の形態１に係るグレア抑制筒を照射方向側開口部から見た拡大斜視図であり、（ｂ）は該グレア抑制筒を配設面側から見た拡大斜視図である。
【図４】グレアを惹起する照明と人間との位置関係を説明した説明図である。
【図５】本発明の照明装置の実施の形態１のグレア抑制筒の配光制御について説明するための説明図である。
【図６】本発明の照明装置の実施の形態１のグレア抑制筒の胴部内面での光の反射の様子を説明する説明図である。
【図７】（ａ）は本発明の照明装置の実施の形態１のグレア抑制筒が上向きの場合の放熱機構について説明するための説明図であり、（ｂ）は該グレア抑制筒が下向きの場合の放熱機構について説明するための説明図である。
【図８】本発明の照明装置の実施の形態１のＬＥＤ及びグレア抑制筒の配設方法を説明するための説明図である。
【図９】本発明の照明装置の実施の形態１のＬＥＤ及びグレア抑制筒の配設方法を説明するための説明図である。
【図１０】本発明の照明装置の実施の形態１のＬＥＤ及びグレア抑制筒の配設方法を説明するための説明図である。
【図１１】本発明の照明装置の実施の形態１のＬＥＤ及びグレア抑制筒の配設方法を説明するための説明図である。
【図１２】本発明の照明装置の実施の形態１のグレア抑制筒の配設方法を説明するための説明図である。
【図１３】本発明の照明装置の実施の形態１のグレア抑制筒の別の形態を示す拡大斜視図である。
【図１４】本発明の照明装置の実施の形態２のグレア抑制筒の胴部内面での光の反射の様子を説明する説明図である。
【図１５】本発明の照明装置の実施の形態２のグレア抑制筒の胴部内面での光の反射の様子を説明する説明図である。
【図１６】本発明の照明装置の実施の形態２のグレア抑制筒の胴部内面での光の反射の様子を説明する説明図である。
【図１７】本発明の照明装置の実施の形態２のグレア抑制筒の胴部内面での光の反射の様子を説明する説明図である。
【図１８】（ａ）は本発明の照明装置の実施の形態２のグレア抑制筒が上向きの場合の放熱機構について説明するための説明図であり、（ｂ）は該グレア抑制筒が下向きの場合の放熱機構について説明するための説明図である。
【図１９】本発明の照明装置の実施の形態３のグレア抑制筒の胴部内面での光の反射の様子を説明する説明図である。
【図２０】本発明の照明装置の実施の形態４のＬＥＤ及びグレア抑制筒の配設方法を説明するための説明図である。
【図２１】本発明の照明装置の実施の形態４のＬＥＤ及びグレア抑制筒の配設方法を説明するための説明図である。
【図２２】本発明の照明装置の実施の形態４のＬＥＤ及びグレア抑制筒の配設方法を説明するための説明図である。
【図２３】本発明の照明装置の実施の形態４のＬＥＤ及びグレア抑制筒の配設方法を説明するための説明図である。
【図２４】本発明の照明装置の実施の形態５のグレア抑制筒の配設方法を説明するための説明図である。
【図２５】本発明の照明装置の実施の形態６の照明装置の要部斜視図である。
【図２６】本発明の照明装置の実施の形態６の照明装置の部分分解斜視図である。
【図２７】本発明の照明装置の実施の形態７の照明装置の要部斜視図である。
【図２８】本発明の照明装置の実施の形態７の照明装置の部分分解斜視図である。
【図２９】本発明の照明装置の実施の形態７のグレア抑制筒の配設方法を説明するための説明図である。
【図３０】（ａ）は従来のグレア抑制を行うルーバーの斜視図であり、（ｂ）は該ルーバーを備えた照明装置の外観図である。
【符号の説明】
【０１０１】
１，１Ａ，１Ｂ，１Ｃ，１Ｄ，１Ｅ，１Ｆ  照明装置
２  ＬＥＤ（点状光源）
３  ＬＥＤ基板（光源基板）
３ａ  ＬＥＤ配設面（光源配設面）
４，４ａ，４ｂ，４ｃ，４ｄ，４Ａ，４Ｂ，４Ｄ  グレア抑制筒（グレア抑制部材）
４Ｅ，４Ｆ  グレア抑制ユニット
４Ｅａ，４Ｆａ  グレア抑制部材
Ｃ１１，Ｃ１２，Ｃ２１，Ｃ２２，Ｃ３１，Ｃ３２，Ｃ４１，Ｃ４２  空気路
【図１】
2009087716.tif 000003
【図２】
2009087716.tif 000004
【図３】
2009087716.tif 000005
【図４】
2009087716.tif 000006
【図５】
2009087716.tif 000007
【図６】
2009087716.tif 000008
【図７】
2009087716.tif 000009
【図８】
2009087716.tif 000010
【図９】
2009087716.tif 000011
【図１０】
2009087716.tif 000012
【図１１】
2009087716.tif 000013
【図１２】
2009087716.tif 000014
【図１３】
2009087716.tif 000015
【図１４】
2009087716.tif 000016
【図１５】
2009087716.tif 000017
【図１６】
2009087716.tif 000018
【図１７】
2009087716.tif 000019
【図１８】
2009087716.tif 000020
【図１９】
2009087716.tif 000021
【図２０】
2009087716.tif 000022
【図２１】
2009087716.tif 000023
【図２２】
2009087716.tif 000024
【図２３】
2009087716.tif 000025
【図２４】
2009087716.tif 000026
【図２５】
2009087716.tif 000027
【図２６】
2009087716.tif 000028
【図２７】
2009087716.tif 000029
【図２８】
2009087716.tif 000030
【図２９】
2009087716.tif 000031
【図３０】
2009087716.tif 000032